(57)【要約】【課題】ダイアライザーに接続されているチューブの捻れを防止することができる医療用具の接続構造を提供すること。【解決手段】ダイアライザー１の容器２には、テーパ部３ａを形成した筒状の差込口３が設けられ、この差込口３にはチューブ８と一体的に連結されているスリーブ９が接続される。容器２に設けられた差込口３の周囲には、これと間隔を開けて固定側コネクター４が設けられ、コネクター４には雌ネジ４ａが形成されている。他方、ダイアライザーコネクター５には、スリーブ９を内側に挿通する内孔５ａを有し、雌ネジ４ａと螺合する雄ネジ６ａが形成されている。ダイアライザーコネクター５を固定側コネクター４に締結する際に、スリーブ９が差込口３と内孔５ａとの間に圧着して、スリーブ９を介在させてチューブ８を差込口３にロックするようにした。【選択図】　　　　図２
2004041612.tif 000002
【特許請求の範囲】
【請求項１】
容器に設けられた筒状の差込口と、該差込口に接続されるチューブと、上記容器に設けられ差込口の周囲に間隔を開けてネジが形成された固定側ロック部と、チューブを内側に挿通する内孔を有し上記固定側ロック部のネジと螺合するネジが形成された可動側ロック部材とを備えてなり、
上記可動側ロック部材を固定側ロック部に締結する際に、上記可動側ロック部材の内孔部が上記チューブを差込口側に圧着して、チューブを差込口にロックするようにしたことを特徴とする医療用具の接続構造。
【請求項２】
上記可動側ロック部材の落下を防止するための係止部材を上記チューブに嵌合させて設けたことを特徴とする請求項１に記載の医療用具の接続構造。
【請求項３】
上記容器の差込口は、先端側を細くしたテーパ形状であり、スリーブを介在させて、上記チューブを差込口に接続するようにしたことを特徴とする請求項２に記載の医療用具の接続構造。
【請求項４】
容器に設けられた筒状の差込口と、上記容器に設けられ差込口の周囲に間隔を開けてネジが形成された固定側ロック部と、上記差込口に連結されるチューブとが一体的に接続され、上記固定側ロック部のネジに螺合するネジが形成された可動側ロック部とを備えてなり、
上記チューブの途中に、雄側ネジを有する雌側ルアーと上記雄側ネジに螺合する雌側ネジを有する雄側ルアーとを設けるとともに、雌側ネジに形成した内孔に雄側ルアーを遊嵌し、これらの雄側ネジと雌側ネジとを螺着することにより、雌側ルアーと雄側ルアーとをロックするようにしたことを特徴とする医療用具の接続構造。
【請求項５】
上記容器が内部に血液中の毒素や水分を除去するフィルターを設けたダイアライザーであることを特徴とする請求項１〜４のいずれか１項に記載の医療用具の接続構造。
【発明の詳細な説明】
【０００１】
【発明の属する技術分野】
本発明は、医療用具に用いられる薬品等を収容する容器と、この容器に接続されるチューブ等の捻れを防止することができる医療用具の接続構造に関する。
【０００２】
【従来の技術】
図５は、血液透析の仕組みを示す概略図である。血液透析は、人体の動脈から採血した血液を、特殊フィルターを有するダイアライザーを用いて、血液中の毒素や水分を除去し、きれいになった血液を静脈に戻すことにより行われる。
具体的には、図５に示すように、人体の動脈回路５１から採血した血液は、血液ポンプ５２により動脈エアートラップ５３に移送され、エアートラップ５３では、誤って入ってきた空気を抜き、次にダイアライザー５４に移送される。ダイアライザー５４には、髪の毛よりも細い管が多数配設され、ここで毒素等が除去され、濾過された血液はチューブ６３を介して静脈エアートラップ５５に移送される。この際、ダイアライザー５４にて失われた必要な成分を補充するため、透析液供給装置５６から必要成分が補充される。静脈エアートラップ５５では、動脈エアートラップ５３と同様に誤って入ってきた空気を除去する。そして、静脈エアートラップ５５を通過した血液は、人体の静脈回路５７に戻される。なお、図中の符号５８は、血液の凝固を防止するための抗凝固剤が供給される凝固剤供給装置である。
【０００３】
上述したダイアライザー５４とチューブ６３の接続部は、従来では、ダイアライザーに設けられた筒状の差込口にチューブの先端部を差し込むようにしていた。しかしながら、チューブを差込口に差し込むだけでは、チューブが外れるおそれがあり、厚生労働省の指導によりダイアライザーとチューブとの接続部のロック化が実施されることになった。
図６は、その対策後のダイアライザー５４の拡大図である。このようなダイアライザー５４は、容器５９に雌ネジ６１を形成した固定側コネクター６０と、固定側コネクター６０の内側に配設されている差込口６２を設けている。差込口６２には、チューブ６３が一体的に固定されている可動側コネクターとしてのダイアライザーコネクター６４が接続される。このダイアライザーコネクター６４には、ダイアライザー５４の固定側コネクター６０に締結可能な雄ネジ６５が形成されている。
【０００４】
【発明が解決しようとする課題】
上記したように、ダイアライザーとチューブのロック化が実施され、ダイアライザー５４とチューブ６３がロックされる構造となっている。そのため、ダイアライザーコネクター６４を固定側コネクター６０にネジ止めする際に、ダイアライザーコネクター６４とチューブ６３とが一体的に取付けられていることから、チューブ６３がダイアライザーコネクター６４とともに回転して、チューブ６３の捻れが発生するという問題点が生じている。この、チューブ６３の捻れは当然の如く、チューブ６３中の血液の流通の妨げとなる。よって、看護者の経験により予めダイアライザーコネクター６４をネジの回転方向とは逆の回転量だけ回転させて、チューブ６３をダイアライザー５４に接続するようにしていたが、捻れを完全に防止することが困難であり、またその手間がかかっていた。
【０００５】
本発明は、このような事情に鑑みてなされたもので、ダイアライザーに接続されているチューブの捻れを、現在使用されているダイアライザー側の形状を変更することなく、防止できる医療用具の接続構造を提供することを目的とする。
【０００６】
【課題を解決するための手段】
上記目的を達成するために本発明の医療用具の接続構造は、容器に設けられた筒状の差込口と、該差込口に接続されるチューブと、上記容器に設けられ差込口の周囲に間隔を開けてネジが形成された固定側ロック部と、チューブを内側に挿通する内孔を有し上記固定側ロック部のネジと螺合するネジが形成された可動側ロック部材とを備えてなり、上記可動側ロック部材を固定側ロック部に締結する際に、上記可動側ロック部の内孔部が上記チューブを差込口側に圧着して、チューブを差込口にロックするようにした。
上記医療用の接続構造は、上記可動側ロック部の落下を防止するための係止部材を上記チューブに嵌合させることができ。また、上記容器の差込口は、先端側を細くしたテーパ形状であり、スリーブを介在させて、上記チューブを差込口に接続するようにすることができる。
また、本発明の別の態様では、容器に設けられた筒状の差込口と、上記容器に設けられ差込口の周囲に間隔を開けてネジが形成された固定側ロック部と、上記差込口に連結されるチューブとが一体的に接続され、上記固定側ロック部のネジに螺合するネジが形成された可動側ロック部材とを備えてなり、上記チューブの中間部に、雄側ネジを有する雌側ルアーと上記雄側ネジに螺合する雌側ネジを有する雄側ルアーとを設けるとともに、雌側ネジに形成した内孔に雄側ルアーを遊嵌し、これらの雄側ネジと雌側ネジとを螺着することにより、雌側ルアーと雄側ルアーとをロックするようにした。
上記医療用具の接続構造は、上記容器が内部に血液中の毒素や水分を除去するフィルターを設けたダイアライザーとして用いることができる。
【０００７】
【発明の実施の形態】
以下、本発明の実施の形態による医療用具の接続構造について、図面を参照しながら説明する。
図１は、本発明に係るダイアライザー１を示し、図２はその分解図である。図に示すように、ダイアライザー１には内部にフィルターが配設されている容器２が設けられ、断面が円形状の容器２の底面２ａには、下向きに突出した円筒状の差込口３が形成されている。差込口３は基端側が大径であり、先端側が先細りしたテーパ部３ａが形成されている。差込口３の周囲には、間隔を開けて円筒状の固定側コネクター４が下向きに突出して形成されている。固定側コネクター４の内周部には、雌ネジ４ａが形成されている。
差込口３及び固定側コネクター４は、ともに容器２の底面２ａに一体成形により形成され、差込口３のテーパ部３ａの軸方向長さは、固定側コネクター４の軸方向高さよりも僅かに突出させ、その先端部を固定側コネクター４よりも下側に突出させている。
【０００８】
固定側コネクター４には、可動側コネクターとしてのダイアライザーコネクター５が締結される。ダイアライザーコネクター５は、上側のネジ部６と下側の摘み部７とで形成され、これらの内部には、円形の内孔５ａが形成されている。そして、そのネジ部６には、外周部に雄ネジ６ａを形成し、雄ネジ６ａは固定側コネクター４の雌ネジ４ａと螺合する。
円筒状のスリーブ９は、一端側がチューブ８と一体的に固定して接続され、他端側はダイアライザー１の差込口３に接続される。ダイアライザーコネクター５の内孔５ａの内径は、ダイアライザーコネクター５を固定側コネクター４に締結する際に、スリーブ９が内孔５ａの内壁面と差込口３のテーパ部３ａの外周面に挟まれて圧着されるように形成する。また、内孔５ａに、スリーブ８に対応するテーパを形成してもよい。但し、テーパを形成する場合は、差込口３と内孔５ａの間の隙間の幅よりもスリーブ９の肉厚をやや厚くして、スリーブ９がダイアライザーコネクター５と差込口３との間に圧着されるように形成する。
【０００９】
よって、ダイアライザーコネクター５を固定側コネクター４に螺合させた時には、内側から外側へ、差込口３、スリーブ９、雄ネジ６ａ、雌ネジ４ａの順に併設されることになる。ダイアライザーコネクター５の下部には、ストッパー１０が設けられ、このストッパー１０は内部にチューブ８を貫通させる内孔１０ａを形成している。このストッパー１０はチューブ８の外周部に固定するが、人手で動かす程度に嵌合してもよい。すなわち、このストッパー１０は、ダイアライザーコネクター５を固定側コネクター３から外したときに、ダイアライザーコネクター５がチューブ８を伝わって下側に落下するのを防止するためのものである。なお、差込口３、固定側コネクター４及びダイアライザーコネクター５の材質は、変形のしない硬質樹脂を使用することができ、チューブ８、スリーブ９は軟質樹脂を使用できる。本実施の形態では、ダイアライザーコネクター５がポリカーポネードを用い、スリーブ９及びストッパー１０が軟質塩化ビニルを用いている。
【００１０】
ダイアライザー１にチューブ８を差し込むには、予め図２に示すチューブ８をダイアライザーコネクター５の内孔５ａに貫通してから、スリーブ９の先端部を差込口３に差し込む。この際、図３に示すように、差込口３のテーパ部３ａに差し込まれたスリーブ９が、テーパ部３ａの形状に対応して、そのスリーブ９のテーパ部３ａに接している部分もテーパ形状になる。そして、ダイアライザーコネクター５と固定側コネクター４のネジ４ａ，６ａを螺合させる。この際、ダイアライザーコネクター５をねじ込むことにより、スリーブ９がコネクター５の内孔５ａの内周壁により圧着されて締め付けられる。
【００１１】
なお、このスリーブ９を省略して、直接チューブ８の先端部を差込口３に接続することも可能であるが、スリーブ９の厚さや材質を適宜選択すれば、スリーブ９を直接差し込んだ構造の方が、スリーブ９と差込口３との密着性、及びスリーブ９のロック化をより図ることができる。このようにして、ダイアライザーコネクター５を固定側コネクター４にねじ込んで、スリーブ９のテーパ部３ａの圧着によりスリーブ９の回転を防止し、間接的にチューブ８の回転をも防止することにより、チューブ８の捻れを防止することができる。
こうした、ダイアライザー１は、従来例で説明した図５に示すダイアライザー５４に代えて用いることができる。
【００１２】
次に、本発明の第２の実施の形態における医療用具の接続構造について、図４を参照しながら説明する。
なお、本実施の形態では、従来の技術で説明した図５に示すダイアライザーと同一部分については、同一の符号を付して説明し、その詳細な説明を省略する。
図４に示すように、本実施の形態では、図５に示したダイアライザー５４とチューブ６３の接続構造をそのまま利用したものであって、チューブ６３の途中にルアーによる接続構造を設けている。
【００１３】
すなわち、ダイアライザー５４側に接続されたチューブ６３ａの端部には筒状の雌ルアー（又はコネクター）７０が接続されている。雌ルアー７０の先端部には、雄ネジ７１が雌ルアー７０に一体成形により取付けられている。
一方、チューブ６３ｂの端部には、雄ルアー７２が取付けられ、雄ルアー７２の先端部は、先端側が先細りしたテーパ形状であり、雌ルアー７０の内孔と気密に嵌合する。
雄ルアー７２の周囲には環状コネクター７３が設けられ、環状コネクター７３は雄ルアー７２の軸周りに回転が可能である。また、環状コネクター７３は、周知の構造により雄ルアー７２に対して抜け止め構造が施され、その内側には雄ネジ７１と螺合する雌ネジ７４が形成されている。
【００１４】
このような構造により、チューブ６３ａを取付けているダイアライザーコネクター６４を固定側コネクター６０に取付ける。すると、ダイアライザーコネクター６４の回転によりチューブ６３ａがその回転分だけ捻れる。そこで、雄ルアー７２と雌ルアー７０との接続を解除し、チューブ６３ａの捻れを直してから、あらためて、雄ルアー７２と雌ルアー７０とをネジ止めにより接続する。この際、雌ネジ７４のみが回転し、雄ルアー７２と雌ルアー７０とは互いに回転することがないので、チューブ６３ａ，６３ｂが捻れることがない。
本実施の形態では、そのまま従来品を使用することができ、また汎用性の範囲が広いという効果がある。
【００１５】
以上、本発明の実施の形態について説明したが、勿論、本発明はこれに限定されることなく本発明の技術的思想に基いて種々の変形及び変更が可能である。
例えば、本実施の形態では、血液透析に用いるダイアライザーを用いて説明したが、これ以外の他の容器としての医療用具の接続構造においても、同様にチューブの捻れを防止する効果がある。
【００１６】
【発明の効果】
以上述べたように、本発明の医療用具の接続構造によれば、容器に設けられた筒状の差込口と、該差込口に接続されるチューブと、上記容器に設けられ差込口の周囲に間隔を開けてネジが形成された固定側ロック部と、チューブを内側に挿通する内孔を有し上記固定側ロック部のネジと螺合するネジが形成された可動側ロック部材とを備えてなり、上記可動側ロック部材を固定側ロック部に締結する際に、上記可動側ロック部材の内孔部が上記チューブを差込口側に圧着して、チューブを差込口にロックするようにしたので、チューブを接続口にロックするとともに、チューブの捻れを防止することができる。
上記発明は、上記可動側ロック部材の落下を防止するための係止部材を上記チューブに嵌合させることにより、可動側ロック部材の締結を解除したときに、可動側ロック部材がチューブを伝わって落下することを防止できる。
また、上記容器の差込口は、先端側を細くしたテーパ形状であり、スリーブを介在させて、上記チューブを差込口に接続するようにしたので、スリーブの素材や厚さを調整することができ、差込口へのスリーブの差し込みが容易になり、スリーブの材質や厚さを選択することにより、スリーブと差込口の気密性やロック性を向上させることができるようになった。
本発明の別の態様では、容器に設けられた筒状の差込口と、上記容器に設けられ差込口の周囲に間隔を開けてネジが形成された固定側ロック部と、上記差込口に連結されるチューブが一体的に接続され、上記固定側ロック部のネジと螺合するネジが形成された可動側ロック部材とを備えてなり、上記チューブの中間部に、雄側ネジを有する雌側ルアーと上記雄側ネジと螺合する雌側ネジを有する雄側ルアーとを設けるとともに、雌側ネジの内孔に雄側ルアーを遊嵌し、これらの雄側ネジと雌側ネジとを螺着することにより、雌側ルアーと雄側ルアーとをロックするようにした。これにより、容器側の接続部構造を変えずに、捻れを防止するようにしたことから、その汎用性に富むようになった。
さらに、上記発明は、上記容器が血液中の毒素や水分を除去するフィルターを設けたダイアライザーの容器として用いたので、チューブの捻れやチューブの外れを防止することにより、安全な血液透析を行えるになった。
【図面の簡単な説明】
【図１】本発明の第１の実施の形態による医療用具の接続構造におけるダイアライザーの概略平面図である。
【図２】図１のダイアライザーの分解図である。
【図３】図１のダイアライザーとスリーブとを固定するダイアライザーの接続部の説明をするための平面図である。
【図４】本発明の第２の実施の形態による医療用具の接続構造におけるダイアライザーの概略平面図である。
【図５】血液透析を説明するための概略図である。
【図６】従来の医療用具の接続構造におけるダイアライザーの概略平面図である。
【符号の説明】
１　ダイアライザー
２　容器
３　差込口
４　固定側コネクター（固定側ロック部、雌側コネクター）
４ａ　雌ネジ
５　ダイアライザーコネクター（可動側ロック部材、雄側コネクター）
６ａ　雄ネジ
８　チューブ
９　スリーブ
１０　ストッパー
【図１】
2004041612.tif 000003
【図２】
2004041612.tif 000004
【図３】
2004041612.tif 000005
【図４】
2004041612.tif 000006
【図５】
2004041612.tif 000007
【図６】
2004041612.tif 000008